(57)【要約】【課題】指輪において、手間と時間をかけることなく、真贋が識別できる技術や持ち主が特定できる技術を提供する。【解決手段】指輪１１に、０．０１〜０．０９ｍｍ角の文字、数字又は記号からなるマークを刻印しておく。マークを、顕微鏡６０で１００〜１０００倍に拡大し、ディスプレイ６５に表示する。肉眼では見えないほど小さなマークが、ディスプレイ６５に拡大されたマーク２２として表示される。拡大されたマーク２２に基づいて、真贋の識別が容易になされ、持ち主の特定が可能となる。【効果】刻印したマークは小さすぎて見えないため、偽造できない。偽造したとしても、マークは形が崩れる。拡大して、真正マークと比較することにより、指輪が真正品であるか、偽造品であるかが容易に特定できる。【選択図】図７
2018051572.tif 000002
【特許請求の範囲】
【請求項１】
物品の真贋識別定方法であって、
前記物品の所定箇所に、０．０１〜０．０９ｍｍ角の文字、数字又は記号からなるマークを刻印する刻印工程と、
前記マークを１００〜１０００倍に拡大する拡大工程と、
拡大された前記マークと真正マークとを比較して真贋を識別する識別工程と、からなる物品の真贋識別方法。
【請求項２】
前記刻印工程は、前記マークを反転してなる反転マークが先端面に設けられているポンチで実施することを特徴とする請求項１記載の物品の真贋識別方法。
【請求項３】
前記拡大工程は、倍率が１００〜１０００倍のズーム機構を内蔵し光学情報を電気情報に変換する固体撮像デバイスカメラを備える顕微鏡と、前記固体撮像デバイスカメラで得た前記電気情報を処理し画像情報に変換する処理部と、この処理部で得た前記画像情報を表示するディスプレイと、を備える拡大装置で実施することを特徴とする請求項１又は請求項２記載の物品の真贋識別方法。
【請求項４】
物品の持ち主特定方法であって、
前記物品の所定箇所に、０．０１〜０．０９ｍｍ角の文字、数字又は記号からなるマークを刻印する刻印工程と、
前記マークを１００〜１０００倍に拡大する拡大工程と、
拡大された前記マークに基づいて持ち主を特定する特定工程と、からなる物品の持ち主特定方法。
【請求項５】
反転マークが先端面に設けられている刻印用のポンチであって、
前記反転マークは、縦寸法が０．０１〜０．０９ｍｍで、横寸法が０．０１〜０．０９ｍｍであることを特徴とする刻印用のポンチ。
【発明の詳細な説明】
【技術分野】
【０００１】
本発明は、物品の真贋を識別する技術及び物品の持ち主を特定する技術に関する。
【背景技術】
【０００２】
機械装置は、多数の部品で構成される。構成部品が傷んだ場合には部品を交換する必要がある。ところで、交換に供する部品には、純正部品と非純正部品（模倣品）がある。
非純正部品は安価であるが多くの場合品質に問題がある。そのため、機械装置の性能を維持する上では、純正部品が推奨される。誤って、純正部品を非純正部品に置き換えることは避けなければならない。そのため、部品が純正部品であるか非純正部品であるかの識別が大事になる。
【０００３】
しかし、純正部品と非純正部品とは外観に差がないため識別が難しい。そこで、識別する手段として、純正部品に刻印を付すことが提案されてきた（例えば、特許文献１参照）。
【０００４】
特許文献１は偽造防止技術に関する。特許文献１の技術を図１１に基づいて説明する。
図１１（ａ）に示すように、純正部品としてのタービン１００は、円筒状の入口部１０１を備え、この入口部１０１の内周面１０１ａに、識別用のマーク１０２、１０３が刻印されている。
【０００５】
なお、「刻印」は、印を刻むという動詞と、印を刻むための道具（名詞）と、刻まれた印（名詞）の３つに解釈される。
本発明では、刻印は動詞として使用する。印を刻む道具には別の名詞（ポンチ）を付与し、刻まれた印には別の名詞（マーク）を付与する。これにより、混同を解消する。
【０００６】
図１１（ｂ）は、図１１（ａ）の要部拡大図であり、マーク１０２は、「山」と「川」とをモチーフにした記号である。
図１１（ｃ）は、図１１（ａ）の要部拡大図であり、マーク１０３は、複数個の漢字文字からなり、製造業者名を示す。
【０００７】
タービン１００に、マーク１０２、１０３があれば、純正部品である。逆に、マーク１０２、１０３が付いていないか、又はマーク１０２、１０３が偽造されていれば、タービン１００は非純正部品と識別される。すなわち、マーク１０２、１０３に基づいて真贋識別がなされる。
【０００８】
ところで、マーク１０２、１０３が極めて精巧に偽造されていることがある。マーク１０２、１０３の真贋識別に手間と時間を要する。すなわち、マーク１０２、１０３の真贋が不明の場合には、タービン１００の形状測定や材料分析や要部の仕上がりなどを総合的に判断することにより真贋の識別が行われるため、純正部品と非純正部品の識別に、手間と時間がかかる。
偽造技術が高度化する中、マーク１０２、１０３に替わる真贋識別技術が求められる。
【０００９】
また、指輪などの装飾品に、持ち主のイニシャルや販売店（又は製造元）のシリアルナンバーなどが刻印されることが少なくない。仮に、紛失し、交番などに届けられた場合に、シリアルナンバーから販売店が特定され、販売記録から持ち主を特定することができる。
【００１０】
しかし、高級な指輪が盗難に遭ったとき、いわゆる足がつかないように、シリアルナンバーなどが削り取られる場合がある。この場合は、持ち主を特定するまでに、手間と時間がかかる。この場合であっても、持ち主が特定できる技術が求められる。
【先行技術文献】
【特許文献】
【００１１】
【特許文献１】特開２００４−１０１６４３号公報
【発明の概要】
【発明が解決しようとする課題】
【００１２】
本発明は、手間と時間をかけることなく、真贋が識別できる技術や持ち主が特定できる技術を提供することを課題とする。
【課題を解決するための手段】
【００１３】
本発明者らは、従来の識別用のマークが、周囲の人に視認可能な大きさであることに着目した。すなわち、シリアルナンバーを付すことにより防犯効果を期待しているため、従来のマークは、目立つ箇所に付されている。このことが、マークを削り取るという動機付けになったと思われる。
【００１４】
ところで、０．４ｍｍ角の文字（マーク）までは、肉眼で識別可能であると言われている。そこで、本発明者らは、０．４ｍｍより格段に小さなマークであれば、マークの存在を隠すことができるということを着想した。
【００１５】
本発明者らは、０．１５角の文字と、０．０９ｍｍ角の文字とを比較検討した。
検討の結果、０．１５ｍｍ角の文字は識別不可能であったが、点の形態で存在が視認可能であった。
対して、０．０９ｍｍ角の文字は点すらも見えないことが判った。すなわち、マークは、０．０９ｍｍ角以下であれば、肉眼で見えないことが確認できた。
【００１６】
以上により、肉眼で見えないようなマークを付すことにより、真贋識別や持ち主特定ができるとの知見を得た。
この知見に基づいて完成した本発明は次の通りである。
【００１７】
請求項１に係る発明は、物品の真贋識別定方法であって、
前記物品の所定箇所に、０．０１〜０．０９ｍｍ角の文字、数字又は記号からなるマークを刻印する刻印工程と、前記マークを１００〜１０００倍に拡大する拡大工程と、拡大された前記マークと真正マークとを比較して真贋を識別する識別工程と、からなる。
【００１８】
請求項２に係る発明では、刻印工程は、マークを反転してなる反転マークが先端面に設けられているポンチで実施することを特徴とする。
【００１９】
請求項３に係る発明では、拡大工程は、倍率が１００〜１０００倍のズーム機構を内蔵し光学情報を電気情報に変換する固体撮像デバイスカメラを備える顕微鏡と、固体撮像デバイスカメラで得た電気情報を処理し画像情報に変換する処理部と、この処理部で得た画像情報を表示するディスプレイと、を備える拡大装置で実施することを特徴とする。
【００２０】
請求項４に係る発明は、物品の持ち主特定方法であって、
前記物品の所定箇所に、０．０１〜０．０９ｍｍ角の文字、数字又は記号からなるマークを刻印する刻印工程と、前記マークを１００〜１０００倍に拡大する拡大工程と、拡大された前記マークに基づいて持ち主を特定する特定工程と、からなる。
【００２１】
請求項５に係る発明は、反転マークが先端面に設けられている刻印用のポンチであって、
前記反転マークは、縦寸法が０．０１〜０．０９ｍｍで、横寸法が０．０１〜０．０９ｍｍであることを特徴とする。
【発明の効果】
【００２２】
請求項１に係る発明は、物品の真贋識別定方法である。物品に、０．０１〜０．０９ｍｍ角のマークを刻印する。刻印したマークは小さすぎて見えないため、偽造できない。偽造したとしても、マークは形が崩れる。
拡大したマークを真正マークと比較することにより、部品が真正品であるか、偽造品であるかが容易に特定できる。また、拡大してもマークが見あたらなければ部品は非真正品（未登録品、偽造品）となる。
よって、本発明によれば、多大な時間をかけることなく、真贋が識別できる技術が提供される。
【００２３】
請求項２に係る発明では、刻印はポンチで実施される。刻印は、レーザー刻印とポンチによる機械式刻印とがある。レーザー刻印は大量生産向きであって、レーザー刻印機が高価である。
この点、ポンチは少量生産向きであって、刻印装置は安価である。ポンチであれば小規模な宝石店や宝石加工場で採用できる。
【００２４】
請求項３に係る発明では、拡大工程は、倍率が１００〜１０００倍の顕微鏡と、固体撮像デバイスカメラで得た電気情報を処理し画像情報に変換する処理部と、この処理部で得た画像情報を表示するディスプレイと、を備える拡大装置で実施する。顕微鏡の設定を１０００倍にすると、０．０１ｍｍ角は１０ｍｍ角になり、マークの識別が容易になる。
【００２５】
請求項４に係る発明では、物品に、０．０１〜０．０９ｍｍ角の文字、数字又は記号からなるマークを刻印する。０．０９ｍｍ角以下のマークは、小さすぎて肉眼では見ることができない。肉眼では見えないため、やすりやサンダーで削られる心配がない。
マークを１００〜１０００倍に拡大することで、持ち主を特定することができる。
よって、本発明によれば、多大な時間をかけることなく、持ち主が特定できる技術が提供される。
【００２６】
請求項５に係る発明は、刻印用のポンチであって、反転マークは、縦寸法が０．０１〜０．０９ｍｍで、横寸法が０．０１〜０．０９ｍｍである。このポンチで、物品に肉眼では見えないほど小さなマークを刻印することができる。
【図面の簡単な説明】
【００２７】
【図１】本発明に係るマークが刻印されている物品の斜視図である。
【図２】図１の要部拡大図である。
【図３】図１のさらなる要部拡大図である。
【図４】本発明に係るポンチの斜視図である。
【図５】図４の５部拡大図である。
【図６】ポンチの作製方法を説明する図である。
【図７】拡大装置の原理図である。
【図８】識別工程及び持ち主特定工程を説明する図である。
【図９】識別の形態（シリアルナンバーがある場合）を説明する図である。
【図１０】識別の形態（シリアルナンバーがない場合）を説明する図である。
【図１１】従来の技術を説明する図である。
【発明を実施するための形態】
【００２８】
本発明の実施の形態を添付図に基づいて以下に説明する。なお、図面は符号の向きに見るものとする。
【実施例】
【００２９】
本発明に係る物品１０は、機械装置を構成する部品、指輪、ネックレス、イヤーリング、ブレスレッド、時計などの装身具、メダルやコインなどの記念品等、シリアルナンバー（順に振られる番号、識別番号）が付されている物であればよく、種類や形態は問わない。
【００３０】
ただし、物品１０は、非鉄金属やプラスチックで構成される（めっき品を含む。）。
非鉄金属は、鉄鋼より柔らかい金属（アルミニウム、マグネシウム、銅（これらの合金を含む。）、銀、金、プラチナなど）であればよい。
【００３１】
図１に示すように、物品１０は、装身具の一つである指輪１１である。指輪１１は、金属リング１２に、座１３を有し、この座１３に宝石１４が嵌められている。金属リング１２は、鉄鋼より柔らかい非鉄金属で構成される。
【００３２】
そして、金属リング１２の内周面１５に、例えば、持ち主のイニシャル１６と、シリアルナンバー１７とが刻印されている。シリアルナンバー１７は、例えば、ＧＨ１６０２４である。「ＧＨ」は宝石店のイニシャル、「１６」は２０１６年、「０２４」は２４番目を意味する。
さらには、金属リング１２の外周面１８の所定部位に、肉眼では見えないほど小さなマークが刻印されている。所定部位は任意に設定される。
【００３３】
金属リング１２の外周面１８の所定部位を、ルーペで２０倍に拡大すると、図２に示すように、例えば７個の点２１が見える。無論、点２１は肉眼では見えない。
金属リング１２の外周面１８の所定部位を、拡大装置（図７、符号５０）で５００倍に拡大すると、図３に示すように、例えば「ＧＨ１６０２４」からなるマーク２２が現れる。
【００３４】
マーク２２は、文字、数字又は記号からなる。文字は、英文字、平がな、カタカナが簡単であって好適である。漢字は複雑であるため好ましくない。数字はアラビヤ数字が好適であるが、ギリシャ数字や漢数字であってもよい。記号は○、△、□など簡単なものが好まれる。
【００３５】
このようなマーク２２を刻印する刻印用のポンチを図４で説明する。
図４に示すように、刻印用のポンチ３０は、断面が正方形である角柱部３１と、この角柱部３１の先端に一体形成された角錐部３２と、この角錐部３２の先端に一体形成され十分に小径の先端柱部３３とからなる。先端柱部３３の断面は角、丸の何れであってもよい。
ポンチ３０の材質は、超硬や合金工具鋼（ＳＫＤ、ＳＫＳなど）が好適である。
【００３６】
図５に示すように、先端柱部３３の先端面３４に、例えば「６」の反転マーク３５が形成されている。この反転マーク３５の縦横寸法であるが、縦寸法ａが０．０１〜０．０９ｍｍで、横寸法ｂが０．０１〜０．０９ｍｍである。
【００３７】
なお、実施例では、１本の角柱部３１に、１文字の反転マーク３５を設けたが、１本の角柱部３１に複数文字の反転マーク３５を設けてもよい。この場合は角柱部３１の断面は長方形が望ましい。
【００３８】
また、反転マーク３５が超微細であるため、反転マーク３５の潰れが懸念される。しかし、相手部材である指輪１１が鉄鋼より柔らかい非鉄金属又はプラスチックであるため、反転マーク３５が潰れる心配はなく、ポンチ３０の寿命は十分に確保できる。
【００３９】
このようなポンチ３０の作製方法を図６で説明する。
図６（ａ）に示すように、刻印材３７と粗加工用彫刻刃３８とを準備する。刻印材３７はポンチ３０の素材であって超硬や合金工具鋼が好適である。
図６（ｂ）に示すように、粗加工用彫刻刃３８にて、刻印材３７を粗加工する。すなわち、斜線（／／／）を施した部位を削除する。粗加工用彫刻刃３８を、中仕上げ用彫刻刃３９に交換する。
【００４０】
図６（ｃ）に示すように、中仕上げ用彫刻刃３９にて、刻印材３７を中仕上げする。すなわち、斜線（／／／）を施した部位を削除する。中仕上げ用彫刻刃３９を、仕上げ用彫刻刃４１に交換する。
図６（ｄ）に示すように、仕上げ用彫刻刃４１にて、刻印材３７を仕上げする。これで、先端に反転マーク３５が付された刻印用のポンチ３０が作製できた。
【００４１】
図６では、ポンチ３０を、いわゆる直彫り法で作製したが、型彫り放電加工法で作製することもできる。よって、ポンチ３０の作製方法は実施例に限定されるものではない。
【００４２】
次に、拡大工程で用いる拡大装置５０の構成を説明する。
拡大装置５０は、装置ベース５１と、この装置ベース５１に固定され指輪１１の一側面を支える固定部材５２と、装置ベース５１上にスライド自在に設けられ指輪１１の他側面を押す移動部材５３と、この移動部材５３を移動するスクリュー５４と、装置ベース５１に立てた支柱５５と、この支柱５５に上下動可能に嵌められるスライダー５６と、このスライダー５６を任意の高さに固定することができるようにスライダー５６に設けたロックボルト５７と、スライダー５６から水平に延ばした上下の腕部５８、５８と、スライダー５６に対して腕部５８、５８を精密に昇降するピント合わせつまみ５９と、腕部５８、５８の先端に取付けられた顕微鏡６０と、この顕微鏡６０で得た電気情報を処理し画像情報に変換する処理部６４と、この処理部６４で得た画像情報を表示するディスプレイ６５とを備えている。
【００４３】
顕微鏡６０は、倍率が１００〜１０００倍のズーム機構６１を内蔵し光学情報を電気情報に変換する固体撮像デバイスカメラ６２を備えている。
【００４４】
固定部材５２と移動部材５３とで、指輪１１を挟む。そして、指輪１１に顕微鏡６０を臨ませ、ズーム機構６１で倍率を設定し、ピント合わせつまみ５９でピントを合わせる。すると、鮮明な画像（拡大されたマーク２２）がディスプレイ６５に表示される。
【００４５】
すなわち、図８（ａ）に示すように、ディスプレイ６５に、１００〜１０００倍に拡大されたマーク２２が表示される。
図７に示すディスプレイ６５に、データ蓄積部（メモリー）が内蔵されており、このデータ蓄積部に、シリアルナンバー、このシリアルナンバーに対応する諸データが蓄積されている。
【００４６】
図８（ｂ）に示すように、データ蓄積部から真正マーク６６を引き出す。
真正マーク６６の引き出し方法としては、画像解析法が推奨される。画像解析法では、マークを微細な格子に分割し、各格子を白又は黒として捉える。分割された格子にはｘｙ座標が与えられる。
【００４７】
拡大されたマーク２２の白黒格子の並び順と同じ並び順のマークを、蓄積データ中から探す。
並び順が同じマークが見つかったときには、真正マーク６６として引き出し、ディスプレイ６５に表示する。「該当品がありました。」のようなメッセージを表示することは好ましい。
並び順が同じマークが見つからないときには、「該当品がありません。」のようなメッセージを表示することは好ましい。
【００４８】
画像解析法の他、拡大されたマーク２２を参照しつつ、「ＧＨ１６０２４」をキーボードでディスプレイ６５へ入力する。ＧＨ１６０２４がデータ内に存在すれば、「該当品がありました。」とメッセージしつつ真正マーク６６を表示させる。データ内に存在しなければ「該当品はありません。」とメッセージさせる。
何れにおいても、ディスプレイ６５上の拡大されたマーク２２と真正マーク６６とを比較することで、真贋の識別が行える（識別工程）。
【００４９】
なお、図８（ａ）にて、拡大されたマーク２２が表示されない。すなわち、指輪１１の何処を観察しても拡大されたマーク２２が見あたらないときは、指輪１１は、未登録品又は偽造品と識別される。
【００５０】
【表１】
2018051572.tif 000003
【００５１】
上記表により、真贋を識別する工程が実施される。そして、拡大されたマーク２２が有り、この拡大されたマーク２２が真正マーク６６に一致した場合には、ディスプレイ６５の表示を図８（ｃ）に切り替える。
【００５２】
図８（ｃ）に示すように、シリアルナンバーに該当する品名、販売店、お客様氏名、住所、電話番号などが表示され、持ち主が特定される（持ち主特定工程）。なお、この持ち主特定工程は、真贋を識別する識別工程の次に行う他、識別工程を経ることなく拡大工程の次に実施することは差し支えない。
【００５３】
表１の形態を、図９、図１０に基づいて、再度検討する。
図９（ａ）に示す指輪１１には、イニシャル１６やシリアルナンバー１７が付されている。精巧な偽造品の場合は、イニシャル１６やシリアルナンバー１７も精巧に偽造され、識別が難しい。
【００５４】
指輪１１の所定箇所を拡大した図を、図９（ｂ）〜（ｄ）に示す。
シリアルナンバー１７が分かっているため、指輪１１の所定箇所にシリアルナンバー１７に対応するマーク２２があるはずである。
しかし、図９（ｂ）に示すように、拡大されたマーク２２が見あたらない場合には、指輪１１は偽造品であると識別できる。なお、シリアルナンバー１７が付されているため、未登録品ではない。
【００５５】
図９（ｃ）に示すように、拡大されたマーク２２が見つかり、このマーク２２が真正マークに一致すれば、指輪１１は真正品であると識別できる。
図９（ｄ）に示すように、拡大されたマーク２２が一定以上崩れている場合は、指輪１１は偽造品である疑いが濃い。
【００５６】
図１０（ａ）に示す指輪１１には、イニシャル１６やシリアルナンバー１７が付されていない。図１の指輪１１において、イニシャル１６やシリアルナンバー１７が巧妙に削られた可能性がある。
図１０（ｂ）に示すように、拡大されたマーク２２が見つからない場合には、未登録品又は偽造品と識別できる。
【００５７】
図１０（ｃ）に示すように、拡大されたマーク２２が見つかり、このマーク２２が真正マークに一致すれば、真正品と識別できる。ただし、シリアルナンバー１７が見あたらないので、盗品である疑いが濃い。
【００５８】
このように、本発明によれば、指輪１１が、真正品であるか、偽造品であるか、盗品であるかの識別が確実に行える。
【００５９】
なお、マーク２２は、ポンチ３０で機械的に刻印する他、レーザー刻印法によって熱的に刻印することは差し支えない。レーザー刻印であれば、物品１０の材質は、非鉄金属やプラスチックに限定されるものではなく、鉄鋼材料（ステンレス鋼、合金鋼を含む。）やチタンであってもよい。
【００６０】
また、拡大装置５０は、実施例で説明した装置に限定するものではなく、物品１０の表面を１００〜１０００倍に拡大することができる装置であれば、測定原理や構成は任意である。すなわち、倍率が可変であるズーム機構の代わりに倍率が固定されたズーム機構を有する安価な拡大装置であってもよい。
【産業上の利用可能性】
【００６１】
本発明は、装身具に、肉眼で見えないほど小さなマークを刻印する技術に好適である。
【符号の説明】
【００６２】
１０…物品、１１…指輪、２２…マーク（拡大されたマーク）、３０…ポンチ（刻印用のポンチ）、３４…先端面、３５…反転マーク、５０…拡大装置、６０…顕微鏡、６１…ズーム機構、６２…固体撮像デバイスカメラ、６４…処理部、６５…ディスプレイ、６６…真正マーク、ａ…マークの縦寸法、ｂ…マークの横寸法。
【図１】
2018051572.tif 000004
【図２】
2018051572.tif 000005
【図３】
2018051572.tif 000006
【図４】
2018051572.tif 000007
【図５】
2018051572.tif 000008
【図６】
2018051572.tif 000009
【図７】
2018051572.tif 000010
【図８】
2018051572.tif 000011
【図９】
2018051572.tif 000012
【図１０】
2018051572.tif 000013
【図１１】
2018051572.tif 000014